(57)【要約】【課題】再生時の信号品質が高い、ホログラフィック情報記録媒体へ情報を記録するための情報記録装置を提供する。【解決手段】ホログラフィック情報記録媒体へ情報を記録するための情報記録装置１００は、情報記録媒体１５の温度情報を含む記録条件情報を検出する温度検出部２５を備えており、エンコーダ１０は、データ情報ＤＴを格納するデータ情報領域と記録条件情報ＴＰを格納する記録条件格納領域とを含む２次元情報ＰＤＴに変換する。記録条件格納領域は、２次元情報内において、干渉縞の角度選択性から求まる再生可能領域が最大となる位置に配置されたに格納されている。【選択図】図１
2011013531.tif 000002
【特許請求の範囲】
【請求項１】
参照光と信号光との干渉によって形成される干渉縞を用いて情報記録媒体に情報を記録する情報記録方法であって、
前記情報記録媒体の温度情報を含む記録条件情報を検出するステップと、
前記情報記録媒体に記録されるデータ情報を格納するデータ情報領域と検出された前記記録条件情報を格納する記録条件格納領域とを含む２次元情報に変換するステップとを備え、
前記記録条件格納領域は、前記２次元情報内において、前記干渉縞の角度選択性から求まる再生可能領域が最大となる位置に配置されたに格納されており、
前記参照光と前記２次元情報に基づいて変調された前記信号光とを前記情報記録媒体において干渉させることで、前記干渉縞を前記情報記録媒体に記録するステップをさらに備える、情報記録方法。
【請求項２】
前記干渉縞の角度選択性から求まる前記再生可能領域が最大となる前記位置は、前記２次元情報のうち、記録時において前記情報記録媒体に入射する前記参照光と前記信号光とのなす角度が９０度から遠く、０度または１８０度に近い側の領域である、請求項１記載の情報記録方法。
【請求項３】
参照光と２次元情報が変調された信号光との干渉として干渉縞が記録される情報記録に用いられる２次元情報作成方法であって、
前記情報記録媒体に記録されるデータ情報を格納するデータ情報領域を作成するステップと、
記録条件情報を格納する記録条件格納領域を作成するステップとを備え、
前記記録条件格納領域は、前記２次元情報内において、前記干渉縞の角度選択性から求まる再生可能領域が最大となる位置に配置される、２次元情報作成方法。
【請求項４】
情報記録媒体に参照光と信号光の干渉縞として記録された２次元情報を前記参照光の照射によって再生する情報再生方法であって、
前記参照光が前記情報記録媒体に照射されることで生成される再生光を受け前記情報記録媒体に記録された２次元情報を生成するステップと、
前記２次元情報に含まれるデータ情報および記録条件情報を読み出すステップとを備え、
前記記録条件格納領域は、２次元情報内において、前記干渉縞の角度選択性から求まる再生可能領域が最大となる位置に配置される、情報再生方法。
【請求項５】
再生される前記２次元情報内の再生可能領域が最大になるよう、前記参照光の前記情報記録媒体への入射角を制御するステップをさらに備える、請求項４に記載の情報再生方法。
【請求項６】
再生時の温度情報を検出するステップと、
前記再生時の温度情報と記録条件情報とに基づいて、前記２次元情報で変調された異なる入射角の信号光に対する前記参照光の入射角補正量の変化を小さくするための、前記参照光の波長補正量と入射角補正量とを導出するステップと、
前記波長補正量と前記入射角補正量とに基づいて、前記参照光の波長と前記参照光の入射角度を制御するステップとをさらに備える、請求項５に記載の情報再生方法。
【請求項７】
参照光と２次元情報に基づいて変調された信号光との干渉が干渉縞として記録される情報記録媒体であって、
前記２次元情報は、前記情報記録媒体に記録されるデータ情報を格納するデータ情報領域と、記録条件情報を格納する記録条件格納領域とを含み、
前記記録条件格納領域は、２次元情報内において、前記干渉縞の角度選択性から求まる再生可能領域が最大となる位置に配置される、情報記録媒体。
【発明の詳細な説明】
【技術分野】
【０００１】
この発明は、ホログラフィック情報記録媒体へ情報を記録するための情報記録方法、当該記録される２次元情報の作成方法、ホログラフィック情報記録媒体に記録された情報を再生する情報再生方法、ならびに情報記録媒体に関する。
【背景技術】
【０００２】
ホログラフィを利用して情報を記録するホログラフィック記録では、信号光と参照光とを重ね合わせ、これらの光の干渉により生成される干渉縞（ホログラム）が情報記録媒体に書き込まれる。具体的には、同一の光源から出射された光ビームが参照光と信号光とに分離され、空間光変調器が、信号光に、２次元情報であるページデータに対応する振幅変調を行なう。この変調された信号光と参照光をホログラム記録材料中で重ね合わせ、そのときにできる干渉縞を屈折率変調または強度変調として書き込む。
【０００３】
再生時には、光源から参照光のみが生成され、当該参照光がホログラム記録材料中に記録された干渉縞に照射される。このような照射により、記録された干渉縞で参照光の一部が回折されて、２次元情報をもった再生光が生じる。この再生光を撮像素子などの光検出器が検出して２次元情報が得られ、この２次元情報をデコードすることにより記録した情報が再生される。
【０００４】
ホログラフィック記録の方式として、「角度多重方式」がよく知られている。「角度多重方式」においては、参照光と信号光とが一旦分岐され、レンズにより集光された信号光と平行光である参照光がホログラム記録材料中で重ね合わせられる。
【０００５】
「角度多重方式」では、参照光の入射角度を変化させることで、干渉縞を情報記録媒体の同一体積内に重ねて記録し、角度多重記録を行うことができる。同一体積内に複数のページデータを重ねて記録（多重記録）することで、情報記録媒体面における単位面積当たりの記録密度が、従来の光ディスクに比べて飛躍的に増大する。上記同一箇所に多重記録された一連のホログラムは「ブック」と呼ばれている。１つのブックが記録されると、記録位置を情報記録媒体面内で移動させ次の位置に移動してホログラムを記録していく。
【０００６】
角度多重記録において、厚みの厚いホログラム記録材料を用いた場合、厚みが薄いホログラム記録材料を用いた場合と比較して参照光の入射角度の変化量を小さくして記録を行うことができる。これは厚みの増大に伴い、ホログラム記録材料中で参照光と信号光の重なりあう領域は立体的になり、その結果参照光の入射角についてのホログラムの再生条件（ブラッグ条件）が厳格になり、入射角の変化量が小さくとも、ホログラムが再生されなくなるためである。
【０００７】
情報記録媒体は、ホログラム記録材料とそれを支持する基板からなり、ホログラム記録材料が基板の間に挟まれた構造が一般的である。
【０００８】
ホログラム記録材料として、フォトポリマー材料が用いられることがある。フォトポリマー材料は、フォトリフラクティブ結晶と比較して、感度、記録感度のダイナミックレンジ（累積干渉縞強度：Ｍナンバー）の点で優れており、研究開発用途でよく用いられている。また、近年は厚みが数百μｍから数ｍｍといった厚みの厚いものも作成されており、ホログラフィック記録の大容量化に重要な材料となっている。
【０００９】
フォトポリマー材料は、主として光重合開始剤、モノマーおよびバインダポリマーから構成される。フォトポリマー材料に干渉縞が照射されると、干渉縞の光強度に応じて、光重合開始剤が光を吸収し、光重合反応が開始されモノマーの重合反応が起こる。モノマーが重合反応した干渉縞の明部では、モノマーの濃度が減少し、モノマーの濃度分布が生じる。このモノマーの濃度分布に従い、干渉縞の暗部から明部へモノマーが拡散する。これにより、干渉縞の光強度に応じたモノマーの屈折率分布が形成される。
【００１０】
フォトポリマー材料は、温度変化や光重合反応が進むことにより、膨張収縮し体積が変化することがある。記録時と再生時でフォトポリマー材料の温度差が生じた場合、フォトポリマー材料の体積変化にともない、記録された干渉縞の傾斜角度や格子間隔など形状が変化し、ブラッグ条件が記録時と再生時で一致しなくなることがある。この場合、記録時と同じ条件で参照光を入射しても、再生光が得られないという問題がある。
【００１１】
例えば、干渉縞の記録に用いられる参照光および信号光がいずれも平面波である場合には、干渉縞の傾斜角度および格子間隔はいずれも単一となる。そのため、この場合には、再生時に参照光の入射角を変化させ、ブラッグ条件を満たすように参照光の入射角度を補正することで、干渉縞の形状が変化してもホログラムの再生を行うことが可能である。
【００１２】
角度多重記録では、収束光である信号光と平行光である参照光とを重ね合わせて干渉縞の記録を行う。この場合、収束光である信号光は、入射角度の異なる複数の平面波成分を含むため、さまざまな傾斜角度の干渉縞が形成される。このようにして形成されたホログラムを参照光の入射角度の補正のみで再生する場合、傾斜角度の異なる複数の干渉縞に対して参照光の入射角補正量がそれぞれ異なる。そのため、信号光全体を再生することができず、再生信号光の一部に欠けが生じる。
【００１３】
上記再生像の欠けを制御する方法として、参照光の波長を補正することで、傾斜角度および格子間隔が異なる複数の干渉縞に対する参照光の入射角補正量をほぼ一定にする手法がある。つまり、参照光の波長の補正と参照光の入射角度の補正の双方を行うことで、体積変化が生じた場合であっても、信号光全体を再生することが可能となる（たとえば、特許文献１参照）。
【００１４】
ここで、特許文献１では、記録条件およびホログラフィック記録材料の特性を情報記録媒体中のヘッダ領域に記録する技術が開示されている。再生時にこれらの条件を読み出した後、体積変化に対する参照光の波長補正量および入射角補正量を算出し、信号光全体の再生にともなう調整過程を高速化している。
【００１５】
特許文献２では、記録条件およびホログラフィック記録材料の特性を記録情報とともにデータ記録時に記録している。さらに、情報記録で用いられる最小変調単位よりも大きい変調単位で情報記録媒体に記録条件等を記録することで、再生時の読出しトレランスを拡大させている。
【００１６】
特許文献３では、再生時に、情報記録媒体のヘッダ情報から温度の情報を取得するとともに、温度検知ユニットより検知された温度を取得する。取得された各温度の差に基づいて、干渉縞の形状変化による影響を打ち消すための再生波長のシフト量を決定する。
【先行技術文献】
【特許文献】
【００１７】
【特許文献１】特開２００６−３４９８３１号公報
【特許文献２】特開２００７−１６３６４３号公報
【特許文献２】特開２００６−２６７５５４号公報
【発明の概要】
【発明が解決しようとする課題】
【００１８】
しかしながら、ヘッダ領域を設けて記録条件を記録した場合には、情報記録媒体のユーザ利用可能領域が低減されてしまう。また、波長可変な光源として外部共振器型半導体レーザを用いた場合、半導体レーザのモードホップまたは情報記録媒体の温度ドリフトの影響により、ヘッダ情報記録時とデータ記録時とで記録光源の状態が異なる。その結果、再生時にヘッダ情報を用いて参照光の補正を行なっても、品質の高い再生信号光は得られない。
【００１９】
また、記録条件およびホログラム記録材料の特性を情報とともに記録した場合、再生時に温度が変化すると、信号光に欠けが生じることがある。この場合、情報記録で用いられる最小変調単位よりも大きい変調単位で記録を行ない、再生トレランスを拡大したとしても、記録条件等が読み出せなくなる可能性がある。
【００２０】
それゆえに、この発明の目的は、温度変化を通じた情報記録媒体の膨張収縮によりホログラム再生条件に変化が生じても高い確度で情報を再生可能な、ホログラフィック情報記録媒体へ情報を記録するための情報記録方法、当該記録される２次元情報の作成方法、ホログラフィック情報記録媒体に記録された情報を再生する情報再生方法、ならびに情報記録媒体を提供することである。
【課題を解決するための手段】
【００２１】
この発明の１つの局面に従うと、参照光と信号光との干渉によって形成される干渉縞を用いて情報記録媒体に情報を記録する情報記録方法であって、情報記録媒体の温度情報を含む記録条件情報を検出するステップと、情報記録媒体に記録されるデータ情報を格納するデータ情報領域と検出された記録条件情報を格納する記録条件格納領域とを含む２次元情報に変換するステップとを備え、記録条件格納領域は、２次元情報内において、干渉縞の角度選択性から求まる再生可能領域が最大となる位置に配置されたに格納されており、参照光と２次元情報に基づいて変調された信号光とを情報記録媒体において干渉させることで、干渉縞を情報記録媒体に記録するステップをさらに備える。
【００２２】
好ましくは、干渉縞の角度選択性から求まる再生可能領域が最大となる位置は、２次元情報のうち、記録時において情報記録媒体に入射する参照光と信号光とのなす角度が９０度から遠く、０度または１８０度に近い側の領域である。
【００２３】
この発明の他の局面に従うと、参照光と２次元情報が変調された信号光との干渉として干渉縞が記録される情報記録に用いられる２次元情報作成方法であって、情報記録媒体に記録されるデータ情報を格納するデータ情報領域を作成するステップと、記録条件情報を格納する記録条件格納領域を作成するステップとを備え、記録条件格納領域は、２次元情報内において、干渉縞の角度選択性から求まる再生可能領域が最大となる位置に配置される。
【００２４】
この発明のさらに他の局面に従うと、情報記録媒体に参照光と信号光の干渉縞として記録された２次元情報を参照光の照射によって再生する情報再生方法であって、参照光が情報記録媒体に照射されることで生成される再生光を受け情報記録媒体に記録された２次元情報を生成するステップと、２次元情報に含まれるデータ情報および記録条件情報を読み出すステップとを備え、記録条件格納領域は、２次元情報内において、干渉縞の角度選択性から求まる再生可能領域が最大となる位置に配置される。
【００２５】
好ましくは、再生される２次元情報内の再生可能領域が最大になるよう、参照光の情報記録媒体への入射角を制御するステップをさらに備える。
【００２６】
好ましくは、再生時の温度情報を検出するステップと、再生時の温度情報と記録条件情報とに基づいて、２次元情報で変調された異なる入射角の信号光に対する参照光の入射角補正量の変化を小さくするための、参照光の波長補正量と入射角補正量とを導出するステップと、波長補正量と入射角補正量とに基づいて、参照光の波長と参照光の入射角度を制御するステップとをさらに備える。
【００２７】
この発明のさらに他の局面に従うと、参照光と２次元情報に基づいて変調された信号光との干渉が干渉縞として記録される情報記録媒体であって、２次元情報は、情報記録媒体に記録されるデータ情報を格納するデータ情報領域と、記録条件情報を格納する記録条件格納領域とを含み、記録条件格納領域は、２次元情報内において、干渉縞の角度選択性から求まる再生可能領域が最大となる位置に配置される。
【発明の効果】
【００２８】
この発明によれば、温度変化を通じた情報記録媒体の膨張収縮によりホログラム再生条件に変化が生じても、情報を高い確度で再生することが可能である。
【図面の簡単な説明】
【００２９】
【図１】ホログラフィック記録再生装置１００の概略的な構成および記録時の動作を示した図である。
【図２】情報記録媒体１５に入射する信号光ＳＧＬおよび参照光ＲＦＬの方向と記録条件格納領域ＴＰｐの配列方向との関係を説明するための図である。
【図３】ホログラフィック記録再生装置の記録動作手順フロー図である。
【図４】ホログラフィック記録再生装置１００の概略的な構成および再生時の動作を示した図である。
【図５】記録時における情報記録媒体１５に入射する信号光ＳＧＬおよび参照光ＲＦＬの様子を示した図である。
【図６】異なる入射角を有する信号光ＳＧＬが情報記録媒体１５内で参照光ＲＦＬと干渉する様子を示した図である。
【図７】信号光ＳＧＬの入射角θSに対する参照光ＲＦＬの入射角補正量ΔθRを示した図である。
【図８】記録された単一の傾斜角、干渉縞の間隔の干渉縞が記録された場合のホログラムからの回折効率と参照光ＲＦＬの情報記録媒体への入射角度の関係（参照光ＲＦＬの角度選択性）を示した図である。
【図９】記録時における情報記録媒体１５に入射する信号光ＳＧＬおよび参照光ＲＦＬの様子を示した図である。
【図１０】位置ＰＡからの信号光ＳＧＬが再生される場合の角度選択性と再生可能領域とを示した図である。
【図１１】位置ＰＢからの信号光ＳＧＬが再生される場合の角度選択性と再生可能領域とを示した図である。
【図１２】補正を加えた場合の信号光ＳＧＬの入射角θｓに対する参照光ＲＦＬの入射角補正量Δθｒｃを示した図である。
【図１３】ホログラフィック記録再生装置１００の再生時の動作手順を示すフロー図である。
【図１４】再生可能領域の最大となる領域に記録条件情報ＴＰが記録されている場合の記録条件情報取得方法を示すフロー図である。
【図１５】情報記録媒体１５において、ホログラム記録材料およびこれを支持する基板の断面図構造を示す図である。
【発明を実施するための形態】
【００３０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３１】
[記録時の構成および動作]
図１は、記録時のホログラフィック記録再生装置１００の概略的な構成および記録時の動作を示した図である。
【００３２】
図１を参照して、ホログラフィック記録再生装置１００は、制御系２００と光学系３００とを含む。光学系３００は、波長可変レーザ１と、光アイソレータ２と、１／２波長板３と、偏光ビームスプリッタ４および７と、ビームエキスパンドレンズ５および６と、１／４波長板８および２１と、空間光変調器９と、情報変換部１０と、リレーレンズ１１および１３と、空間フィルタ１２と、対物レンズ１４と、回転駆動ミラー１６および２２と、照射位置調整用レンズ１９および２０と、撮像素子２３とを備える。制御系２００は、エンコーダ１０と、デコーダ２４と、温度検出部２５と、メモリ部２６と、制御部２８とを備える。なお、後に再生時の動作において説明するように、ホログラフィック記録再生装置１００は、輝度ムラ検出器２９をさらに備えていてもよい。
【００３３】
波長可変レーザ１は、レーザビームを発振する光源と、発振波長を制御する波長制御部とを含む。波長可変レーザ１としては、たとえば、外部共振器型半導体レーザを用いることができる。光アイソレータ２は、１／２波長板３以降の光学系からの反射光を除去する。これにより、波長可変レーザ１への戻り光量を低減させ、波長可変レーザ１の発振状態をより安定化することができる。
【００３４】
ホログラフィック記録再生装置１００は、角度偏向部として回転駆動ミラー１６および２２を備える。ホログラフィック記録再生装置１００は、情報記録媒体１５に対して情報を記録するとともに、情報記録媒体１５から情報を再生する。情報記録媒体１５は、カード型、回転ディスク型のどちらであってもよい。なお、以下の説明では、記録および再生を実行するホログラフィック記録再生装置１００であるものとして説明するが、実施の形態としては、ホログラフィック記録再生装置１００の代わりに記録処理のみを実行するホログラフィック記録装置であってもよい。
【００３５】
次に、ホログラフィック記録再生装置１００の記録動作について説明する。
波長可変レーザ１から出射されたレーザ光ＰＬは、光アイソレータ２を通過し、１／２波長板３で偏光方向が回転させられる。１／２波長板３での回転角は、情報記録媒体１５上での信号光ＳＧＬと参照光ＲＦＬとの光強度比が最適化されるように調整される。レーザ光ＰＬは、偏光ビームスプリッタ４により、経路Ｐ１を通る信号光ＳＧＬと経路Ｐ２を通る参照光ＲＦＬとに分離される。
【００３６】
信号光ＳＧＬは、ビームエキスパンドレンズ５および６によってビーム径を拡大され、経路Ｐ３に沿って偏光ビームスプリッタ７を透過する。透過した信号光ＳＧＬは、１／４波長板８を通って直線偏光から円偏光に変換され、反射型の空間光変調器９に導かれる。空間光変調器９は、エンコーダ（情報変換部）１０から供給されるページデータＰＤＴに基づいて信号光ＳＧＬの光強度を変調する。
【００３７】
温度検出部２５は、温度等に関する記録条件情報ＴＰを出力する。温度検出部２５は、たとえば、温度センサにより、情報記録媒体１５中のホログラム記録材料（フォトポリマー材料）の温度を検知する。
【００３８】
エンコーダ（情報変換部）１０は、記録条件情報ＴＰおよびデータ情報ＤＴを受けて、それらの情報を２次元のページデータＰＤＴに変換する。記録条件情報ＴＰには、記録時のホログラム記録材料の温度情報に加えて、たとえば、波長可変レーザ１の記録時の波長、参照光ＲＦＬの入射角、ホログラム記録媒体１５の面内方向および厚み方向の線膨張係数、ホログラム記録材料の屈折率、およびホログラム記録材料の屈折率の温度変化定数、およびホログラム記録材料を支持する基板の面内方向の線膨脹係数といった数値のうち、少なくとも再生時に必要となる情報を含む。
【００３９】
図１５は、情報記録媒体１５において、ホログラム記録材料およびこれを支持する基板の断面図構造を示す図である。
【００４０】
情報記録媒体１５において、ホログラム記録材料３２は、基板３１ａおよび３１ｂの間に挟まれた構造となっている。基板３１ａおよび３１ｂは、ガラスまたはポリカーボネートまたはアクリル樹脂、その他の透明樹脂からなる。図１５に示すような基板３１ａおよび３１ｂに挟まれたホログラム記録材料３２の場合、温度変化が生じたときの厚み方向の膨張または収縮量はホログラム記録材料の線膨脹係数から求められるが、面内方向の膨張または収縮量については、ホログラム記録材料が基板に挟まれて支持されているため、基板膨張収縮の影響を大きく受け、膨張、収縮量は基板の線膨脹係数から求めた方が正確な場合が多い。
【００４１】
再生可能領域とは、情報記録媒体に記録時と再生時で温度変化が生じ、ページデータＰＤＴ内に欠けが生じた場合において、再生時の参照光ＲＦＬの波長を干渉縞の変形に合わせて最適化することなしに再生可能な一定の領域のことをいう。
【００４２】
再生可能領域の大きさは、記録時の参照光ＲＦＬの入射角および集光された信号光ＳＧＬのそれぞれの入射角との関係で決まる。再生可能領域の大きさと位置については、後に、ホログラム記録再生装置１００の再生時の動作の説明において詳述する。
【００４３】
図２は、図１における信号光ＳＧＬのＳＡ−ＳＡ´断面でのページデータＰＤＴの配置を示す図である。なお、ＳＡ−ＳＡ´断面は、リレーレンズ１３および対物レンズ１４の焦点面であり、空間光変調器面とは光学的に共役の関係にある。データ情報ＤＴはページデータＰＤＴの前面に配置されており、記録条件格納領域ＴＰｐは、再生可能領域が最大となる位置に配置されている。この場合、再生時に輝度ムラが生じ、輝度ムラの位置によりページデータＰＤＴの一部が読み出せない状態であっても、まず再生可能領域の幅が最大となるように参照光ＲＦＬの入射角を変化させて、調整を行うことで、再生可能領域を読み出すことが可能である。再生可能領域が小さい領域に記録条件格納領域ＴＰｐを配置した場合と比較して、読み出せない状態である可能性が低く、容易に記録条件格納領域を見つけ出すことが可能となる。さらには、一度に検出可能な領域が大きくなるため、格納できる記録条件情報ＴＰの量を多くすることができる。
【００４４】
再生可能領域の幅は参照光ＲＦＬと信号光ＳＧＬのなす角で決定される。ここで、信号光ＳＧＬは対物レンズによって集光された光であり、信号光ＳＧＬの入射角はページデータＰＤＴ内の位置によってことなる。したがって、参照光ＲＦＬと信号光ＳＧＬのなす角も信号光ＳＧＬのページデータＰＤＴ内での位置によって異なり、ページデータＰＤＴ内の位置よって再生可能領域の幅に差が生じる。参照光ＲＦＬの入射角を変化させて角度多重記録を行う場合には参照光ＲＦＬの入射角に応じて、参照光ＲＦＬと信号光ＳＧＬのなす角が変化するので、再生可能領域が最大となる位置がページデータＰＤＴ内で変化する。再生可能領域の幅については再生時の動作で説明する。
【００４５】
記録条件情報ＴＰは、情報記録媒体１５への情報記録の開始の際に検出・取得された情報を使用することができるが、望ましくは、ページデータＰＤＴごとに更新されてもよいし、あるいは、所定数のページデータＰＤＴごとに更新されてもよい。このように逐次更新することにより、波長可変レーザ１にモードホップが生じ、記録時の波長がページデータＰＤＴごとまたは所定数のページデータＰＤＴごとに変化した場合にも、より正確な記録条件情報ＴＰを記録することができる。また、情報記録媒体１５の温度が変化した場合であっても、より正確な記録条件情報ＴＰを記録することができる。
【００４６】
図１に戻って、空間光変調器９で強度変調を与えられた信号光ＳＧＬは、１／４波長板８によって空間光変調器９への入射時とは偏光方向の異なる直線偏光の光に変換され、偏光ビームスプリッタ７で反射される。反射された信号光ＳＧＬは、経路Ｐ４に沿ってリレーレンズ１１および１３を通る。リレーレンズ１１は、空間光変調器９から光学的に焦点距離だけ離れた位置に配置されている。リレーレンズ１３は、リレーレンズ１１の焦点面からリレーレンズ１３の焦点距離だけ離れた位置に配置されている。
【００４７】
信号光ＳＧＬは、リレーレンズ１１の焦点位置においてフーリエ変換像となる。リレーレンズ１１のフーリエ変換面に挿入された空間フィルタ１２は、集光された信号光ＳＧＬのうち、位相変調によって生じた高次の回折光を遮断する。これにより、信号光ＳＧＬに含まれる不要な高次回折光を除去することができ、情報記録媒体１５の感度を有効に利用することが可能となる。
【００４８】
高次の回折光が除去された信号光ＳＧＬは、リレーレンズ１３によって再びフーリエ変換され、その焦点面において空間光変調器９での像と共役な像に変換される。対物レンズ１４は、当該共役像面からその焦点距離だけ離れた位置に配置されている。対物レンズ１４は、信号光ＳＧＬをフーリエ変換して情報記録媒体１５に導く。
【００４９】
一方、参照光ＲＦＬは、回転駆動ミラー１６および照射位置調整用レンズ１７および１８によって、信号光ＳＧＬの焦点位置と重なるように情報記録媒体１５内に導かれる。回転駆動ミラー１６、照射位置調整用レンズ１７、１８および情報記録媒体１５は、それぞれ照射位置調整用レンズ１７、１８の焦点距離だけ離れた位置に配置されている。すなわち、これらの素子等は「４ｆ光学配置」となっている。
【００５０】
信号光ＳＧＬおよび参照光ＲＦＬは、情報記録媒体１５内で干渉し、その干渉縞が情報記録媒体１５中のホログラム記録材料３２に記録される。回転駆動ミラー１６を回転させて参照光ＲＦＬの照射位置調整用レンズ１７への入射角を変化させることにより、参照光ＲＦＬが情報記録媒体１５へ入射する角度を変化させることができる。
【００５１】
上記のように、ホログラフィック記録再生装置１００は、参照光ＲＦＬの入射角度を変化させ、異なるデータ情報ＤＴにより変調された信号光ＳＧＬと参照光ＲＦＬとを情報記録媒体１５のほぼ同一領域内で重ね合わせることで干渉縞を記録する。これにより、情報記録媒体１５へ角度多重記録を行うことができる。
【００５２】
図３は、ホログラフィック記録再生装置１００の記録時の動作手順を示すフロー図である。
【００５３】
以下の説明では、温度情報および波長情報は、ページデータごとに変動の有無が検出されて更新されるものとしている。
【００５４】
図３を参照して、ステップＳ１０１において、制御部２８が記録スタートの信号を受け取り、記録動作を開始する。
【００５５】
ステップＳ１０２において、温度検出部２５が現在の情報記録媒体中のホログラム記録材料３２の温度（もしくは、その近傍の温度または装置内部の温度でもよい）を検出するとともに制御部２８が現在の光源の波長を検出し、温度情報Ｔおよび波長情報λが取得される。
【００５６】
ステップＳ１０３において、制御部２８が情報記録媒体の移動機構（図示せず）を駆動して、情報記録媒体１５を記録位置に移動させる。
【００５７】
ステップＳ１０４において、制御部２８は回転駆動ミラー１６を回転させて参照光ＲＦＬ入射角を記録する角度に設定する。なお、記録時には、制御部２８の制御にしたがって、情報記録媒体１５を透過した光は、遮光機構（図示せず）により遮られて、あるいは吸収部材により吸収されて、レンズ１９の方には到達しない構成とすることにより、記録時の迷光を避けることができる。
【００５８】
ステップＳ１０５において、エンコーダ１０が記録データ情報ＤＴを取得する。ステップＳ１０６の分岐において、制御部２８は、温度検出部２５により、ステップＳ１０２で取得した温度から温度変動があるかを検出する。温度変動がない場合は、処理はステップＳ１０８へジャンプする。温度変動があった場合、処理はステップＳ１０７へと進み、制御部２８は、温度検出部２５により、再度温度を検出し、メモリ部２６に記憶される温度情報Ｔを更新する。
【００５９】
ステップＳ１０８の分岐では、制御部２８は、波長変動があるかを検出する。波長変動がない場合は、処理はステップＳ１１０へとジャンプする。波長変動がある場合は、制御部２８は、再度波長を検出し、メモリ部２６に記憶される波長情報λを更新する。
【００６０】
ステップＳ１１０の分岐では、制御部２８は、予め設定された動作条件に応じて、その他の情報Ｅ、例えば情報記録媒体の面内方向の線膨脹係数、情報記録媒体の厚み方向の線膨脹係数、情報記録媒体の屈折率の温度変化係数または情報記録媒体を支持する基板の線膨脹係数を取得するかを判断する。その他情報については、角度多重記録おける最初のページデータＰＤＴ記録時のみまたはディスクに記録する最初のページデータＰＤＴ記録時のみ取得してもよい。その他の情報Ｅを取得しない場合には、処理はステップＳ１１３へジャンプする。
【００６１】
ステップＳ１１１ではその他情報Ｅに変動があるかを調べる。変動がない場合はステップＳ１１３へジャンプする。変動がある場合は、メモリ部２６に記憶される、その他情報Ｅを更新する。
【００６２】
ステップＳ１１３において、これまで取得した温度情報Ｔ、波長情報λ、その他情報がある場合は、制御部２８に制御されて、エンコーダ１０は、温度情報Ｔ、波長情報λ、その他情報Ｅを記録条件格納領域に配置し、データ情報Ｄをデータ情報領域へ配置し、ページデータＰＤＴを作成する。
【００６３】
ステップＳ１１４において、ホログラフィック記録が行なわれる。
ステップＳ１１５の分岐では、制御部２８は、角度多重記録を終了するかを判断する。終了する場合は制御部２８は、処理をステップＳ１１６へと進ませる。終了しない場合は、処理はステップＳ１０４へと戻り、参照光入射角を変化させ、ステップＳ１０５からステップＳ１１４の一連の動作が繰り返される。
【００６４】
ステップＳ１１６の分岐では、制御部２８は、記録を終了するかを判断する。終了する場合には、制御部２８は、処理をステップＳ１１７へと進ませる。終了しない場合は、処理はステップＳ１０３へと戻り、制御部２８は、移動機構を駆動して記録位置を所定量だけシフトさせて、再度ステップＳ１０４からステップＳ１１５の一連の動作を繰り返す。
【００６５】
ステップＳ１１７では、制御部２８は、記録後の後処理として、ホログラムを記録した領域に可干渉性の低い光を照射するキュアを行う。キュア完了後、ステップＳ１１８において記録動作が終了する。
【００６６】
[再生時の構成および動作]
次に、ホログラフィック記録再生装置１００の再生動作について説明する。
【００６７】
図４は、ホログラフィック記録再生装置１００の概略的な構成および再生時の動作を示した図である。なお、ここでも、以下の説明では、記録および再生を実行するホログラフィック記録再生装置１００であるものとして説明するが、実施の形態としては、ホログラフィック記録再生装置１００の代わりに再生処理のみを実行するホログラフィック再生装置であってもよい。
【００６８】
図４を参照して、ホログラフィック記録再生装置１００は、再生時には、制御部２８は、参照光ＲＦＬのみを発生させるように、１／２波長板３の回転角を調整する。参照光ＲＦＬは、記録時と同じ経路Ｐ２上の光アイソレータ２、１／２波長板３、偏光ビームスプリッタ４、回転駆動ミラー１６および照射位置調整用レンズ１７および１８を通って、情報記録媒体１５へと入射する。回転駆動ミラー１６を回転させて参照光ＲＦＬの照射位置調整用レンズ１７への入射角を変化させることにより、記録時と同様に、参照光ＲＦＬが情報記録媒体１５へ入射する角度を変化させることができる。
【００６９】
情報記録媒体１５を透過した参照光ＲＦＬは、さらに照射位置調整用レンズ１９および２０を通り、経路Ｐ５上の１／４波長板２１によって円偏光に変換される。当該円偏光は、回転駆動ミラー２２に入射する。制御部２８は、参照光ＲＦＬが回転駆動ミラー２２に対して垂直に入射するように回転駆動ミラー２２の角度を調整する。
【００７０】
上記のような動作の結果、参照光ＲＦＬは、元来た経路Ｐ５と逆方向の経路Ｐ６を通って１／４波長板２１を再び通過し、偏光方向が９０度回転した直線偏光に変換される。上述したように参照光ＲＦＬの情報記録媒体１５への入射角度を変化させた場合には、その都度、参照光ＲＦＬが回転駆動ミラー２２に対して垂直に入射するように、回転駆動ミラー２２の角度が調整される。
【００７１】
１／４波長板２１で直線偏光に変換された参照光ＲＦＬは、照射位置調整用レンズ１９および２０を通って情報記録媒体１５に再入射する。このとき、参照光ＲＦＬは、記録時と逆の方向から入射するので、記録時の参照光ＲＦＬと位相共役な光となって情報記録媒体１５に照射される。これにより、情報記録媒体１５内では、記録された干渉縞で参照光ＲＦＬが回折され、その結果、記録された情報が再生される。こうして生成された再生光ＣＦＬは、対物レンズ１４を経てフーリエ変換される。その後、再生時の経路Ｐ７上のリレーレンズ１３、空間フィルタ１２およびリレーレンズ１１を通って、偏光ビームスプリッタ７を透過する。
【００７２】
偏光ビームスプリッタ７を透過した再生光ＣＦＬは、撮像素子２３に入射する。撮像素子２３は、リレーレンズ１１の結像面に配置されている。撮像素子２３は、再生光ＣＦＬを受けて、再生光ＣＦＬに与えられている強度変調を読み取り、２次元のページデータＰＤＴを生成する。デコーダ２４は、生成された２次元のページデータＰＤＴを受け取ってそこからデータ情報ＤＴおよび記録条件情報ＴＰを含む情報を読み出す。撮像素子２３としては、ＣＣＤ（Charge Coupled Device）アレイやＣＭＯＳ(Complementary Metal-Oxide Semiconductor)センサアレイを用いることができる。
（輝度ムラの生じる原因とその方向）
記録時と再生時でホログラム記録材料３２に膨張収縮が生じた場合、再生光に輝度ムラが生じることがある。その輝度ムラの生じる方向と再生可能領域および再生可能領域の幅について説明する。
【００７３】
図５は、記録時における情報記録媒体１５内のホログラム記録材料３２に入射する信号光ＳＧＬおよび参照光ＲＦＬの様子を示した図である。
【００７４】
図５を参照して、信号光ＳＧＬは空間光変調器９の共役面であるＳＡ−ＳＡ´断面において、一旦像を結んだ後、回折しながら対物レンズへと入射する。対物レンズ１４を通って信号光ＳＧＬの各位置からの光は入射角の異なる平行光となって情報記録媒体に入射し、参照光ＲＦＬは、入射角θRで情報記録媒体１５に入射する。図５に示すように、信号光ＳＧＬのページデータＰＤＴ内での位置によって信号光ＳＧＬの情報記録媒体１５への入射角θSは異なるため、干渉縞の傾斜角、縞の間隔も信号光ＳＧＬのページデータＰＤＴ内の位置によって異なる。
【００７５】
図６は、異なる入射角を有する信号光ＳＧＬが情報記録媒体１５内のホログラム記録材料３２で参照光ＲＦＬと干渉する様子を示した図である。
【００７６】
図６を参照して、情報記録媒体１５内のホログラム記録材料３２には、信号光ＳＧＬの各平面波成分に対応した異なる干渉縞間隔および異なる干渉縞傾斜角を持った複数の干渉縞が記録される。この様な複数の干渉縞が一度に記録された状況で、ホログラム記録材料３２に膨張収縮が生じた場合、最適な参照光ＲＦＬの入射角補正量Δθｒｃは、干渉縞の傾斜角、間隔によって異なる。つまり、信号光ＳＧＬのページデータＰＤＴ内の位置によって、参照光ＲＦＬの最適な入射角補正量が異なる。この様な場合、ある入射角で参照光ＲＦＬを入射した場合、ページデータＰＤＴ内のある位置からの信号光ＳＧＬによって記録された干渉縞は、ブラッグ条件を満たし再生されるがその他の位置からの信号光ＳＧＬによって記録された干渉縞はブラッグ条件を満たさず、再生されない。これが輝度ムラや再生画像の欠けの原因である。
【００７７】
再生画像の欠けが生じる方向は、参照光ＲＦＬの光軸方向と信号光ＳＧＬの光軸方向とがなす面の法線（Ｙ方向）に垂直な方向（Ｘ方向）となる
図７は、信号光ＳＧＬの入射角θSに対する参照光ＲＦＬの入射角補正量ΔθRを示した図である。
【００７８】
図７では、波長可変レーザ１の記録時の波長を４０５ｎｍ、再生時の波長を４０２ｎｍ、記録時の参照光ＲＦＬの情報記録媒体１５への入射角を６０度、対物レンズ１４のＮＡ（開口数）を０．５と仮定する。信号光ＳＧＬの光軸が情報記録媒体１５の法線方向と一致しており、このとき信号光ＳＧＬのホログラム記録材料への入射角度は−３０度から３０度となる。記録時と再生時とで約２０度の温度変化が生じると仮定する。このとき、必要となる参照光ＲＦＬの入射角補正量Δθｒｃは、図７のグラフに示すとおりになる。
（参照光ＲＦＬの入射角補正量）
参照光ＲＦＬの入射角補正量Δθｒｃは記録時の角度からの補正量である。入射角補正量Δθｒｃを０．５９度とすると、０．５９度を中心に再生可能角度範囲θｐｂ内にある干渉縞だけがブラック条件を満たし再生可能となる。仮に再生可能角度範囲θｐｂを０．１度とすると、再生可能な信号光ＳＧＬの角度範囲は入射角が２０±５度であり、ページデータＰＤＴ内における、入射角に対応した領域が再生される。これを再生可能領域とする。したがって、信号光ＳＧＬの再生可能領域は参照光ＲＦＬの再生可能角度範囲θｐｂから求まり、参照光ＲＦＬの再生可能角度範囲は参照光ＲＦＬの角度選択性から求まる。
【００７９】
一般に参照光ＲＦＬの角度選択性は、ホログラム記録材料の厚み、波長可変レーザ１の波長、および、記録時の参照光ＲＦＬおよび信号光ＳＧＬの情報記録媒体１５への入射角によってきまる。
（角度選択性と再生可能領域）
図８は、記録された単一の傾斜角、干渉縞の間隔の干渉縞が記録された場合のホログラムからの回折効率と参照光ＲＦＬの情報記録媒体への入射角度の関係（参照光ＲＦＬの角度選択性）を示した図である。
【００８０】
図８を参照して、再生光ＣＦＬの回折効率が０．５となるときの参照光ＲＦＬの入射角度の範囲を、参照光ＲＦＬの再生可能角度範囲θｐｂとする。記録されたホログラムの角度選択性は、ホログラム記録材料３２の厚み、波長可変レーザ１の波長、および、記録時の参照光ＲＦＬおよび信号光ＳＧＬの情報記録媒体１５への入射角によって決まる。参照光と信号光ＳＧＬのなす角が９０度となるとき角度選択性の半値全幅は小さくなり、再生可能領域も小さくなる。参照光ＲＦＬと信号光ＳＧＬのなす角が０度または１８０度となるとき角度選択性の半値全幅は最も大きくなり、再生可能領域も大きくなる。つまり、記録時の波長と再生時の波長が同一の場合、参照光と信号光ＳＧＬのなす角が９０度に近いほど再生可能領域は小さくなり、０度または１８０度に近づくほど、再生可能領域は大きくなる。
【００８１】
図９を参照して、光源の波長４０５ｎｍ、参照光入射角３０度、ホログラム記録材料の厚み１．０ｍｍ、信号光ＳＧＬを集光する対物レンズのＮＡを０．５とし信号光ＳＧＬの光軸の入射角−３０度の場合を考える。このとき信号光ＳＧＬのホログラム記録材料への入射角度は０度から−６０度となる。
【００８２】
信号光ＳＧＬは対物レンズによってホログラム記録材料内に集光されるので、信号光ＳＧＬの入射角はページデータＰＤＴ内の位置によって異なる。つまり、ページデータＰＤＴ内の位置によって角度選択性すなわち再生可能領域が異なる。
【００８３】
図９におけるページデータＰＤＴ内の位置ＰＡからの光は対物レンズによって集光され、ホログラム記録材料に入射角−６０度で入射する。このときの角度選択性を示した図が図１０（ａ）で、対応する再生可能領域を示した図が図１０（ｂ）である。図１０（ａ）は位置ＰＡからの信号光ＳＧＬが再生される場合の角度選択性を示した図である。図９におけるページデータＰＤＴ内のＰＢ位置からの光は同様に対物レンズによって集光され、ホログラム記録材料に入射角０度で入射する。このときの角度選択性を示した図が図１１（ａ）で対応する再生可能領域を示した図が図１１（ｂ）である。図１１（ａ）のとき角度選択性は図１０（ａ）と比較して２倍程度大きい。したがって、再生可能領域も２倍程度大きくなる。
【００８４】
つまり、記録時の波長と再生時の波長が同一の場合、情報記録媒体への参照光の入射角度、信号光の入射角度等の幾何学的配置により、再生時において、最大の大きさの「再生可能領域」となりうる領域が規定されることになる。したがって、このような幾何学的配置と「最大の再生可能領域」との関係を、たとえば、事前に計算により、または、実験により特定しておくことで、記録条件情報ＴＰを最大の再生可能領域となる領域内に配置する。
【００８５】
図９の例では、記録条件情報ＴＰを位置ＰＢの再生可能領域内に配置することで、再生時に再生像の輝度ムラが生じた場合であっても記録条件情報ＴＰを読み出せる可能性が高い。また、再生可能領域が大きいため、より多くの記録条件情報ＴＰを配置することができる。
【００８６】
また、上述の輝度ムラが生じた場合であっても、参照光入射角を変化させ再生可能領域が最大となるように調整することで、容易に記録条件情報を読み出すことができる。再生可能領域の大きさを検出するため、ホログラフィック記録再生装置１００にはさらに輝度ムラ検出器２９をさらに備えていてもよい。輝度ムラ検出器２９はラインセンサや多分割フォトダイオードであってもよいし、ＣＣＤカメラやＣＭＯSカメラなどのイメージセンサであってもよい。輝度ムラ検出器２９は参照光ＲＦＬが記録されたホログラムを透過する際にＰ８の経路を辿って発生する再生光を検出する。また、撮像素子の出力を用いて再生可能領域の大きさを検出してもよい。
【００８７】
図３に戻って、撮像素子２３で検出された再生光ＣＦＬは、ページデータＰＤＴとしてデコーダ２４へ送られる。デコーダ２４は、ページデータＰＤＴをデータ情報ＤＴおよび記録条件情報ＴＰに変換する。温度検出部２５は、情報記録媒体１５などの温度情報を検出する。当該温度情報および記録条件情報ＴＰから、情報記録媒体１５の線膨張係数および屈折率の温度変化定数が読み出される。これらの情報により、温度変化に対するホログラムの伸縮δｘ、δｚおよび記録時の情報記録媒体１５の屈折率ｎｒを求めることができる。
【００８８】
上記の値を用いて、異なる信号光ＳＧＬの入射角に対して参照光ＲＦＬの入射角補正量Δθｒｃをほぼ一定にする参照光ＲＦＬの波長補正量および／または入射角補正量を制御部２８で算出する。制御部２８は、算出された波長補正量および／または入射角補正量に基づいて、波長可変レーザ１の波長の調整および回転駆動ミラー１６の駆動を行う。これにより、波長可変レーザ１の波長および参照光ＲＦＬの情報記録媒体１５への入射角度が補正される。
【００８９】
図１２は、補正を加えた場合の信号光ＳＧＬの入射角θｓに対する参照光ＲＦＬの入射角補正量Δθｒｃを示した図である。
【００９０】
図１２に示すように、波長可変レーザ１の波長の補正に加えて参照光ＲＦＬの情報記録媒体１５への入射角度を補正することにより、参照光ＲＦＬの入射角補正量Δθｒｃを再生可能角度範囲θｐｂ内に収めることができる。これにより、ページデータＰＤＴの欠けなく画像再生を行うことができる。
【００９１】
なお、記録時および再生時の情報記録媒体１５および／またはホログラフィック記録再生装置１００内部の温度変化量、記録時および再生時の波長可変レーザ１の波長変化量に対する再生時の波長補正量、波長可変レーザ１の波長変化量に対する再生時の参照光ＲＦＬの入射角補正量Δθｒｃなどをメモリ部２６に記録しておいてもよい。
【００９２】
上記の温度変化量、波長補正量および入射角補正量Δθｒｃを予めメモリ部２６に保持しておくことにより、記録条件情報ＴＰおよび／または再生時の温度情報をもとに、波長補正量および入射角補正量Δθｒｃを演算なしに求めることができる。その結果、上記の補正および再生を高速に行うことが可能となる
以上のように、実施の形態のホログラフィック記録再生装置１００によれば、参照光ＲＦＬの入射角補正量Δθｒｃが再生可能角度範囲θｐｂ内に収まるように波長可変レーザ１の波長および参照光ＲＦＬの情報記録媒体１５への入射角度を補正することにより、２次元ページデータＰＤＴの欠けなく画像再生を行うことができる。
【００９３】
図１３は、ホログラフィック記録再生装置１００の再生時の動作手順を示すフロー図を示す。
【００９４】
図１３を参照して再生方法を説明する。ステップＳ２０１において、制御部２８は、再生スタートの信号を受け取り、再生動作を開始する。
【００９５】
ステップＳ２０２において、制御部２８は、温度検出部２５により、現在の情報記録媒体中のホログラム記録材料３２の温度（もしくは、その近傍の温度または装置内部の温度でもよい）を検出するとともに現在の光源の波長を検出し、温度情報Ｔおよび波長情報λを取得する。
【００９６】
ステップＳ２０３において、制御部２８が情報記録媒体の移動機構（図示せず）を駆動して、情報記録媒体を再生する位置に移動させる。
【００９７】
ステップＳ２０４において、制御部２８は回転駆動ミラー１６を回転させて参照光入射角を再生する角度に設定する。
【００９８】
ステップＳ２０５において、制御部２８は、情報記録媒体の情報を記録した位置に参照光ＲＦＬを照射し信号光ＳＧＬを再生し、再生信号の読み出しを行う。
【００９９】
ステップＳ２０６の分岐において、制御部２８は、読み出された再生信号に輝度ムラが生じているかを判断する。輝度ムラが生じているかの判断は再生可能領域の大きさから判断してもよいし、輝度ムラ検出用の領域をページデータＰＤＴ内に配置しておき、それらの輝度値を比較することにより判断してもよいし、ページデータＰＤＴ内のエラー数若しくはエラー分布から判断してもよい。
【０１００】
輝度ムラが生じていない場合、処理はステップＳ２１０へジャンプする。輝度ムラが生じている場合、制御部２８は、処理をステップＳ２０７へと進め、記録条件情報を読み出す。ステップＳ２０８において、制御部２８は、得られた記録条件情報から、その条件に応じて、ｉ）参照光入射角の補正情報のみ、またはｉｉ）参照光入射角及び光源波長の補正情報を導出する。
【０１０１】
ステップＳ２０９において得られた補正情報に基づいて、制御部２８は、参照光入射角および／または参照光入射角及び光源波長を補正する。
【０１０２】
ステップＳ２１０において、デコーダ２４は再度信号を読み出し、得られた信号のデコードを行う。
【０１０３】
ステップＳ２１１の分岐において、制御部２８は、角度多重再生が終了したかを確認する。終了する場合、処理はステップＳ２１２へと移動する。終了しない場合、制御部２８は、処理をステップＳ２０４へ戻し参照光入射角を設定する。このときの参照光入射角は補正情報によって補正された入射角であってもよい。その後、制御部２８は、ステップＳ２０５からステップＳ２１０までの一連の動作を繰り返す。ステップＳ２１２において再生を終了するかを確認する。終了する場合、制御部２８は、処理をステップＳ２１３へと移動させ再生を終了する。終了しない場合、制御部２８は、処理をステップＳ２０３へと戻し、再生位置を変化させ再度、角度多重再生を行う。
【０１０４】
図１４は、再生可能領域の最大となる領域に記録条件情報ＴＰが記録されている場合の記録条件情報取得方法を示すフロー図を示す。
【０１０５】
図１４を参照して記録条件取得方法を説明する。
ステップＳ３０１において、制御部２８は、記録条件情報読み出し開始の信号を受けて、読み出しを開始する。ステップＳ３０２において参照光入射角を所定の値に設定し、制御部２８は、ステップＳ３０３において再生可能領域の大きさ、つまり再生可能領域幅を検出する。ステップＳ３０４の分岐において、再生可能領域幅が最大であれば、制御部２８は、処理をステップＳ３０５へと移す。再生可能領域幅が最大でなければ、処理はステップＳ３０２へと戻り、制御部２８は、再度参照光入射角を変化させ、ステップＳ３０３、ステップＳ３０４の処理を順次行なう。このような反復作業を行うことで再生可能領域幅を最大にし、制御部２８は、ステップＳ３０５において再生可能領域幅が最大となる位置に記録された記録条件情報を読み出す。その後ステップＳ３０６へ移動し、記録条件情報読み出しを終了する。
【０１０６】
以上のような構成により、確実に記録条件情報を読み出した上で、レーザ波長と参照光の入射角を補正して読出しを行うことができるので、品質の高い再生信号光を得ることが可能となる。
【０１０７】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【符号の説明】
【０１０８】
１  波長可変レーザ、２  光アイソレータ、３  １／２波長板、４，７  偏光ビームスプリッタ、５，６  ビームエキスパンドレンズ、８，２１  １／４波長板、９  空間光変調器、１０  情報変換部、１１，１３  リレーレンズ、１２  空間フィルタ、１４  対物レンズ、１５  情報記録媒体、１６，２２  回転駆動ミラー、１９，２０  照射位置調整用レンズ、２３  撮像素子、２４  デコーダ、２５  温度検出部、２６  メモリ部、２８  制御部、２９  輝度ムラ検出器、１００  ホログラフィック記録再生装置。
【図１】
2011013531.tif 000003
【図２】
2011013531.tif 000004
【図３】
2011013531.tif 000005
【図４】
2011013531.tif 000006
【図５】
2011013531.tif 000007
【図６】
2011013531.tif 000008
【図７】
2011013531.tif 000009
【図８】
2011013531.tif 000010
【図９】
2011013531.tif 000011
【図１０】
2011013531.tif 000012
【図１１】
2011013531.tif 000013
【図１２】
2011013531.tif 000014
【図１３】
2011013531.tif 000015
【図１４】
2011013531.tif 000016
【図１５】
2011013531.tif 000017